(57)【要約】【課題】設計した製品が所定の基準を満たす部品により構成されているか否かを判定する製品評価プログラムを提供する。【解決手段】製品種別における各部品の評価を行った電子部品評価ＤＢ１１５を備え、製品種別における部品の評価で製品を構成する各部品の評価値を求め、製品の評価値を算出することにより、製品種別の違いによる部品の評価の差に対応して製品を評価することができ、製品種別ごとの特徴を考慮した評価を行うことができる。また、代替電子部品ＤＢ１１７により代替部品の候補を表示し、選択させて、代替部品に変更した部品構成で製品評価値を再算出することにより、前記製品の評価値が製品評価基準値に満たなかったときでも、製品評価基準値を満たすまで製品の構成部品を容易に検討することができる。【選択図】      図１
2004287951.tif 000002
【特許請求の範囲】
【請求項１】
製品の種別ごとにその製品種別における各部品の評価を行った製品種別部品評価情報を準備する準備ステップと、
製品評価を行う製品の製品種別情報およびこの製品を構成する部品情報を入力する構成部品入力ステップと、
前記製品種別部品評価情報の前記製品種別における部品の評価で前記製品を構成する各部品の評価値を求め、前記製品の評価値を算出する製品評価値算出ステップと、
を備えたことを特徴とする製品評価プログラムを記録した媒体。
【請求項２】
請求項１に記載の製品評価プログラムを記録した媒体において、
前記製品の部品構成を変更して代替部品に変更する変更部品を入力させる変更部品入力ステップと、
前記変更部品に替えて前記製品を構成する部品とする代替部品を入力させる代替部品入力ステップと、
をさらに備え、
前記製品評価値算出ステップが、前記入力された代替部品に基づいて前記製品の評価値を再算出することを特徴とする製品評価プログラムを記録した媒体。
【請求項３】
製品の種別ごとにその製品種別における各部品の評価を行った製品種別部品評価情報を準備する準備ステップと、
製品評価を行う製品の製品種別情報およびこの製品を構成する部品情報を入力する構成部品入力ステップと、
前記製品種別部品評価情報の前記製品種別における部品の評価で前記製品を構成する各部品の評価値を求め、前記製品の評価値を算出する製品評価値算出ステップと、
を備えたことを特徴とする製品評価プログラム。
【請求項４】
製品の種別ごとにその製品種別における各部品の評価を行った製品種別部品評価情報を記憶する記憶手段と、
製品評価を行う製品の製品種別情報およびこの製品を構成する部品情報を入力する構成部品入力手段と、
前記製品種別部品評価情報の前記製品種別における部品の評価で前記製品を構成する各部品の評価値を求め、前記製品の評価値を算出する製品評価値算出手段と、
を備えたことを特徴とする製品評価システム。
【請求項５】
製品の種別ごとにその製品種別における各部品の評価を行った製品種別部品評価情報を準備する準備ステップと、
製品評価を行う製品の製品種別情報およびこの製品を構成する部品情報を入力する構成部品入力ステップと、
前記製品種別部品評価情報の前記製品種別における部品の評価で前記製品を構成する各部品の評価値を求め、前記製品の評価値を算出する製品評価値算出ステップと、
を備えたことを特徴とする製品評価方法。
【発明の詳細な説明】
【０００１】
【発明の属する技術分野】
本発明は、該当の製品が所定の基準を満たす部品により構成されているかどうかを判定する製品評価プログラムに関するものである。
【０００２】
【従来の技術】
従来、ある製品を製造する場合、その製品を構成する部品は、前記製品の設計者が前記製品の性能および特定の部位の性能に基づいて設計していた。また、製品のコストのことを考えると、電子機器等で使用される個々の電子部品は単価が安く、品質が良いに越したことはない。したがって、かかる電子部品の調達は、担当する機器の設計者が製品のコスト低減を考えて設計の上、そこで指定された各種電子部品を手配の上購入し、組み立てを行っていた。
【０００３】
ところが、前記製品または製品にいたる前の複数の部品からなる回路等は、異なる生産拠点において類似のものが生産されることが多い。したがって、使用される電子部品は、ほとんどが同一あるいは類似の電子部品であるので、部品調達におけるコスト低減は、個々の生産拠点あるいは個々の設計部門に限られず、全社的になされるべきである。
【０００４】
そのため、電子部品調達において、部品単価を抑えるため、全社的にコスト削減に関する情報を提供する部品購入評価プログラムが、考えられている（例えば、特許文献１参照）。
【０００５】
図１５に示すように、この部品購入評価プログラムは、購入希望部品の希望仕様および購入希望数量を含む購入希望入力に応じて、部品情報データベース２と、購入実績データ１と、を用いて、該購入希望入力に含まれる希望仕様についての希望仕様の許容範囲を設定して該希望仕様の許容範囲内に存在する実仕様を備えた部品名称を該部品情報データベース２から購入提案部品として抽出し、該許容範囲内に存在する実仕様を備えた既購入部品の購入数量および購入単価を該購入実績データ１から抽出して、購入提案部品購入額を算出し、既購入額と該購入提案部品購入額とを対比するものである。
【０００６】
【特許文献１】
特開２００３−０１６２９３号公報
【０００７】
【発明が解決しようとする課題】
しかしながら、上記従来の評価プログラムは、製品を構成する部品の個々について評価するものであり、最終的な製品に係わる情報を考慮したものではなかったため、結果的にオーバースペックの部品を用いることによるコスト高を防止することができないという問題があった。
【０００８】
また、上記評価プログラムは、各部品の購入金額にこだわったものであり、金額が多少高くても特定の部品については性能を重視するといった、製品による評価基準の違いについて対応することができないという問題があった。
【０００９】
そこで、本発明は、製品別の評価基準に基づいて、該当の製品が所定の基準を満たす部品により構成されているかどうかを判定することができる製品評価プログラムを提供することを課題とする。
【００１０】
【課題を解決するための手段】
本発明は、上記課題を解決するため、製品種別における各部品の評価を行った製品種別部品評価情報（電子部品評価ＤＢ）を準備し、製品の製品種別情報およびこの製品を構成する部品情報を入力し、前記製品種別部品評価情報の前記製品種別における部品の評価で前記製品を構成する各部品の評価値を求め、前記製品の評価値を算出することを特徴とするものである。
【００１１】
これにより、製品種別における部品の評価により製品の評価値を算出するので、製品種別の違いによる部品の評価の差に対応して製品を評価することができ、製品種別ごとの特徴を考慮した評価を行うことができることとなる。
【００１２】
また、本発明は、前記製品を構成する部品とともにこの部品を使用する数量を入力し、前記製品構成部品における１部品あたりの評価値の平均値を、前記製品の評価値として算出することを特徴とするものである。
【００１３】
これにより、全部品の評価値の合計を全部品の数量で除算し、製品評価値を求めるので、構成部品の一つあたりの評価値を製品の評価値として比較することができ、構成部品の部品点数に関わらず、全ての製品において同等な比較を行うことができることとなる。
【００１４】
さらに、本発明は、前記製品の部品構成を変更して代替部品に変更する変更部品を入力させ、前記変更部品に替えて前記製品を構成する部品とする代替部品を入力させ、前記代替部品に基づいて前記製品の評価値を再算出することを特徴とするものである。
【００１５】
これにより、代替部品に変更した部品構成で製品評価値を再算出するので、前記製品の評価値が製品評価基準値に満たなかったときでも、構成部品を変更して容易に製品評価値を再算出することができ、製品評価基準値を満たすまで製品の構成部品を検討することができることとなる。
【００１６】
また、本発明は、前記入力された部品の前記製品種別における評価値が前記製品評価基準値に満たない部品を表示し、前記変更部品を入力させることを特徴とするものである。
【００１７】
これにより、変更部品の候補として、評価値が製品評価基準値に満たない部品を表示することができるので、製品評価基準値を下げている部品を選択して変更対象部品とすることができ、部品変更による製品評価値の上昇を容易に行うことができることとなる。
【００１８】
また、本発明は、前記入力された部品の前記製品種別における評価値が低い順に前記部品を表示し、前記変更部品を入力させることを特徴とするものである。
【００１９】
これにより、変更部品の候補として、評価値が低い順に部品を表示することができるので、評価値の低い部品から変更対象部品として検討することができ、部品変更による製品評価値の上昇を迅速に容易に行うことができることとなる。
【００２０】
また、本発明は、前記部品同士で代替ができる部品をグループ化した部品グループ情報（代替電子部品ＤＢ１１７）を準備し、前記入力された変更部品と同一のグループの部品を代替部品候補として表示し、前記代替部品を入力させることを特徴とするものである。
【００２１】
これにより、代替部品の候補として変更部品と代替ができる部品を表示するので、代替部品の候補の選択を容易に行うことができ、製品基準値を満たす部品構成の設計を容易に行うことができることとなる。
【００２２】
さらに、本発明は、製品種別ごとに評価項目の重み付けを行った製品種別重み付け情報（製品種別毎重み付けＤＢ１１３）と、部品ごとに前記評価項目の評価を行った部品評価情報（電子部品ＰＢ情報ＤＢ１１１）と、を準備し、さらに、前記製品種別重み付け情報と、前記部品評価情報と、にしたがって前記製品種別部品評価情報（電子部品評価ＤＢ１１５）を作成することを特徴とするものである。
【００２３】
これにより、評価項目の情報を有する製品種別重み付け情報と、部品の情報を有する部品評価情報と、により製品種別部品評価情報を作成するので、部品の追加や評価項目ごとの重要性の変化を容易に反映することができ、新製品の出現や方針の変更に対応することができることとなる。
【００２４】
【発明の実施の形態】
以下、本発明の実施の形態について添付図面を参照しつつ説明する。
【００２５】
本発明に係る製品評価システムの構成図を、図１に示す。図１に示すように、製品評価システム１０１は、ネットワーク１２１を介して、利用者端末１２３と接続されており、利用者端末１２３からの情報受信および利用者端末１２３への情報の送信が、ネットワーク１２１を介して、できるようになっている。
【００２６】
また、製品評価システム１０１は、プログラム記憶部１０９、電子部品プライベート情報ＤＢ１１１、製品種別毎重み付けＤＢ１１３、電子部品評価ＤＢ１１５、代替電子部品ＤＢ１１７、部品表ファイル１１９を備えている。
【００２７】
さらに、プログラム記憶部１０９は、電子部品評価プログラム１０３、製品評価プログラム１０５、代替電子部品選定プログラム１０７を記憶するものである。
【００２８】
電子部品評価プログラム１０３は、電子部品プライベート情報ＤＢ１１１と、製品種別毎重み付けＤＢ１１３と、から電子部品評価ＤＢ１１５を作成するものである。
【００２９】
製品評価プログラム１０５は、部品表ファイル１１９に基づいて、電子部品評価ＤＢ１１５を検索し、製品を構成する部品の組み合わせが所定の基準を満たしているかを評価するものである。
【００３０】
代替電子部品選定プログラム１０７は、製品評価プログラム１０５のサブルーチンとして呼び出され、代替電子部品ＤＢ１１７を使用して、代替電子部品の選定を行うものである。
【００３１】
また、電子部品プライベート情報ＤＢ１１１は、部品ごとに評価項目の評価を行ったものであり、部品型番ごとに全ての評価項目の評価（５段階評価）を行ったものである。
【００３２】
製品種別毎重み付けＤＢ１１３は、製品種別ごとに上記電子部品プライベート情報ＤＢ１１１と同じ評価項目のそれぞれについて重み付けを行ったものであり、製品種別ごとにそれぞれの評価の割合（百分率：％表記）を付けたものである。
【００３３】
電子部品評価ＤＢ１１５は、製品の種別ごとにその製品種別における各部品の評価を行ったものであり、製品種別、部品型番ごとに評価点数を付けたものである。また、電子部品評価ＤＢ１１５は、上述したように、電子部品評価プログラム１０３によって、電子部品プライベート情報ＤＢ１１と、製品種別毎重み付けＤＢ１１３と、にしたがって作成されるものである。
【００３４】
代替電子部品ＤＢ１１７は、部品同士で代替ができる部品をグループ化して、それぞれの部品型番に対してグループ番号を付したものである。
【００３５】
部品表ファイル１１９は、製品評価が行われる製品ごとに作成され、製品種別、部品型番、この部品がこの製品で使用される数量、この部品が電子部品であるか否かをあらわす電子部品フラグを有しているものである。
【００３６】
また、部品表ファイル１１９は、利用者（例えば、製品の設計者）が利用者端末１２３から製品評価を行う製品の製品種別情報およびこの製品を構成する部品情報を入力することにより、作成される。
【００３７】
ここで、上記部品情報とは、前記製品を構成する部品型番およびこの部品を使用する数量である。また、この部品の電子部品フラグを、利用者に入力させるようにしても良いし、利用者は、製品を構成する部品型番を入力するだけで、電子部品フラグは、電子部品プライベート情報ＤＢ１１１にある電子部品についてのみ立つようにしても良いし、別に総合部品ＤＢを設けてその中で電子部品フラグを設けるようにしても良い。
【００３８】
このような製品評価システム１０１において、製品評価の準備処理となる電子部品評価ＤＢ１１５の作成処理について、フローチャートを図２に示し、説明する。
【００３９】
上述したように、電子部品評価ＤＢ１１５は、電子部品評価プログラム１０３によって作成される。電子部品評価プログラム１０３は、電子部品プライベート情報ＤＢ１１１に新たに部品が登録された場合、あるいは、新しい製品が開発され、製品種別毎重み付けＤＢ１１３に新たな製品種別が追加された場合に、実行され、電子部品評価ＤＢ１１５に新たな製品種別、部品型番が追加され、評価点数が計算される。
【００４０】
図２に示すように、電子部品評価プログラム１０３が実行されると、まず、製品種別毎重み付けＤＢ１１３を順次読み込む（ｓ２０１）。
【００４１】
ここで、図３に、製品種別毎重み付けＤＢ１１３のデータ構造図を示す。同図に示すように、製品種別毎重み付けＤＢ１１３は、製品種別ごとに複数の評価項目、ここでは、単価評価、使用実績、供給性評価、信頼性評価、試験結果、製造性評価、市場品質の７項目のそれぞれについて重み付けを行ったものであり、製品種別ごとにそれぞれの評価の割合を百分率（％）であらわしている。
【００４２】
この重み付けの違いは、例えば、「Ｈｏｍｅ  Ａｕｄｉｏ」では、屋内の使用が多いため、単価評価や使用実績が重要であるが、「Ｍｏｂｉｌｅ  Ｐｈｏｎｅ」では、真冬の北海道などの寒冷地から、砂漠や、熱帯地域など、使用環境に大きな違いがあるため、信頼性が重要となるなど、製品によって評価項目の重要度が異なるためである。
【００４３】
電子部品評価ＤＢ１１５の作成処理のフローチャートに戻り、製品種別毎重み付けＤＢ１１３を読み込んだら（ｓ２０１）、レコードの有る無しを判定する（ｓ２０３）。製品種別毎重み付けＤＢ１１３を最後まで読み込み、レコードが無くなったら、本電子部品評価ＤＢ１１５の作成処理を終了する。製品種別毎重み付けＤＢ１１３のレコードがある場合には、電子部品プライベート情報ＤＢ１１１を順次読み込む（ｓ２０５）。
【００４４】
ここで、図４に、電子部品プライベート情報ＤＢ１１１のデータ構造図を示す。同図に示すように、電子部品プライベート情報ＤＢ１１１は、部品型番ごとに製品種別毎重み付けＤＢ１１３の評価項目を同一の評価項目、単価評価、使用実績、供給性評価、信頼性評価、試験結果、製造性評価、市場品質の７項目のそれぞれについて評価を行ったものであり、部品型番ごとにそれぞれの評価を５段階（１〜５）であらわしている。
【００４５】
この評価は、単価評価、使用実績、供給性評価、信頼性評価、試験結果、製造性評価、市場品質のそれぞれの評価項目について、各部品を５段階で評価を行ったものである。「５」が最高評価で、「１」が最低評価である。
【００４６】
また、電子部品プライベート情報ＤＢ１１１は、全ての電子部品を網羅するため、４０万件程度のデータ件数を持ち、１ヶ月に３００件程度の新規追加が行われる大きなファイルである。
【００４７】
電子部品評価ＤＢ１１５の作成処理のフローチャートに戻り、電子部品プライベート情報ＤＢ１１１を読み込んだら（ｓ２０５）、レコードの有る無しを判定する（ｓ２０７）。電子部品プライベート情報ＤＢ１１１を最後まで読み込み、レコードが無くなったら、製品種別毎重み付けＤＢ１１３の読み込み処理（ｓ２０１）に戻り、製品種別毎重み付けＤＢ１１３の次のレコードについて同様の処理を繰り返す。
【００４８】
電子部品プライベート情報ＤＢ１１１のレコードがある場合には、製品種別毎重み付けＤＢ１１３の該当製品種別における各評価項目の重み付けを、電子部品プライベート情報ＤＢ１１１の該当部品における各評価項目の値に適用して、この製品種別における部品型番の総合評価点数を算出する（ｓ２０９）。
【００４９】
計算式は、電子部品プライベート情報ＤＢ１１１の評価値を“５（評価段階数）”で割ったものに、製品種別毎重み付けＤＢ１１３の重みをかけたものを、全ての評価項目で算出し、合計する。例えば、製品種別「Ｈｏｍｅ  Ａｕｄｉｏ」における部品型番「ＣＮ１００１」の総合評価点数は、
【００５０】
２／５＊２０  ＋  ３／５＊２０  ＋  ２／５＊１０  ＋  ５／５＊１５  ＋  ５／５＊１５  ＋  ４／５＊１０  ＋  ５／５＊１０  ＝  ７２．０
と、算出される。
【００５１】
次に、電子部品評価ＤＢ１１５に、製品種別毎重み付けＤＢ１１３の該当製品種別で、電子部品プライベート情報ＤＢ１１１の該当部品型番のレコードを作成し、上記算出した総合評価点数を設定する（ｓ２１１）。
【００５２】
ここで、図５に、電子部品評価ＤＢ１１５のデータ構造図を示す。同図に示すように、電子部品評価ＤＢ１１５は、製品種別、部品型番ごとに総合評価点数を有しており、全ての製品種別、部品型番の組み合わせのデータが作成されるものである。
【００５３】
電子部品評価ＤＢ１１５の作成フローチャートに戻り、電子部品評価ＤＢ１１５に、総合評価点数を設定（ｓ２１１）したら、電子部品プライベート情報ＤＢ１１１の読み込み処理（ｓ２０５）を再度行う。そして、電子部品プライベート情報ＤＢ１１１の全ての部品型番について上記処理を繰り返し、さらに、製品種別毎重み付けＤＢ１１３の全ての製品種別について上記処理を繰り返し、全ての製品種別、部品型番の組み合わせの総合評価点数を求める。
【００５４】
以上の処理により、電子部品評価ＤＢ１１５が作成される。この処理により、製品評価の準備ができた。
【００５５】
なお、この電子部品評価ＤＢ１１５作成処理は、製品評価プログラム１０５内で行っても良いし、電子部品評価ＤＢ１１５を作成せずに、電子部品プライベート情報ＤＢ１１１と、製品種別毎重み付けＤＢ１１３と、から随時評価点数を計算しても良い。しかしながら、前述したように電子部品プライベート情報ＤＢ１１１のデータ数が多い等の問題で、処理速度が遅くなったり、負荷が大きくなったりするので、あらかじめ電子部品評価ＤＢ１１５を作成しておく方が好ましい。
【００５６】
さらに、電子部品プライベート情報ＤＢ１１１、製品種別毎重み付けＤＢ１１３を作成せずに、電子部品評価ＤＢ１１５のみを作成しても良いが、電子部品プライベート情報ＤＢ１１１、製品種別毎重み付けＤＢ１１３を設けた方が、状況の変化に対応しやすい。例えば、電子部品プライベート情報ＤＢ１１１があれば、部品の追加、削除あるいは各評価項目の変更に随時対応できる。また、製品種別毎重み付けＤＢ１１３があれば、評価項目ごとの重み付けの変更あるいは製品（製品種別）の追加に対応しやすい。特に、評価項目ごとの重み付けは、企業ごとあるいは時代の流れ（流行）に大きく左右されるものであるので、いつでも変更可能なファイルで持っている方が良い。
【００５７】
次に、製品評価プログラム１０５の動作処理について、フローチャートを図６に示し、説明する。
【００５８】
製品評価プログラム１０５を実行すると、はじめに総点数と総数量にゼロを設定して、計算に使用するエリアをクリアする（ｓ３０１）。次に、製品評価を行う製品のデータを部品表ファイル１１９から読み込む（ｓ３０３）。
【００５９】
ここで、図７に、部品表ファイル１１９のデータ構造図を示す。同図に示すように、部品表ファイル１１９ａは、製品評価対象の製品種別、この製品を構成する登録された全ての部品の部品型番を持つレコードからなり、製品種別、部品型番の項目に加え、この部品がこの製品で使用される数量、この部品が電子部品であるか否かをあらわす電子部品フラグを有しているものである。
【００６０】
また、上述したように、部品表ファイル１１９は、利用者（例えば、製品の設計者）が利用者端末１２３から製品評価を行う製品の製品種別情報およびこの製品を構成する部品情報を入力することにより、作成される。
【００６１】
また、本実施の形態では、部品表ファイル１１９を用いて製品評価プログラム１０５を実行するようにしたが、部品表ファイル１１９を作成せずに、利用者が個々に、製品評価時に製品種別情報および部品情報を入力するようにしても良い。
【００６２】
製品評価プログラム１０５の動作処理のフローチャートに戻り、部品表ファイル１１９を読み込んだら（ｓ３０３）、該当するレコードの有る無しを判定する（ｓ３０５）。部品表ファイル１１９の該当するレコードを最後まで読み込み、レコードが無くなったら、後述する評価点数算出処理（ｓ３１５）を行う。
【００６３】
部品表ファイル１１９の該当レコードがある場合には、電子部品フラグにより電子部品であるか否かを判定する（ｓ３０７）。電子部品でない場合には、部品表ファイル１１９の読み込み処理（ｓ３０３）に戻り、部品表ファイル１１９の次の該当レコードについて同様の処理を繰り返す。
【００６４】
電子部品である場合には、この製品種別と部品型番で、電子部品評価ＤＢ１１５を検索し、総合評価点数を取得する（３０９）。
【００６５】
次に、総点数に対して、上記取得した総合評価点数に、この部品型番の数量を乗算したものを、加算する（ｓ３１１）。続いて、総数量に対して、この部品型番の数量を、加算する（ｓ３１３）。総点数と総数量に、数値が格納できたら、部品表ファイル１１９の読み込み処理（ｓ３０３）に戻り、部品表ファイル１１９の次の該当レコードについて同様の処理を繰り返す。
【００６６】
部品表ファイル１１９の全ての該当するレコードに対する計算が終了し、該当するレコードが無くなったら（ｓ３０５で判断）、評価点数算出処理（ｓ３１５）を行う。評価点数算出処理では、上記処理で算出した総点数を総数量で除算したものを、この製品の評価点数として算出する。
【００６７】
ここで、図８に、上記部品表ファイル１１９ａに示した部品構成による製品評価結果を示す。この「Ｈｏｍｅ  Ａｕｄｉｏ」では、電子部品は「ＣＮ１００１」と「ＣＮ１００２」であり、数量はそれぞれ「３」、「２」である。「ＣＮ１００１」の総合評価点数は、「７２．０」で、「ＣＮ１００２」は、「８０．０」である。したがって、同図に示すように、総点数は「３７６．０」、総数量は「５」となり、この部品構成における製品の製品評価点数は、「７５．２」となる。
【００６８】
評価点数が算出されたら、この評価点数が基準値を達成しているか否かを判断する（ｓ３１７）。この評価点数が基準値を達成していれば、本製品評価処理を終了し、達成していない場合には、代替電子部品選定処理（ｓ３１９）で、この製品を構成している電子部品の代替を行い、総点数と総数量をゼロに設定して（ｓ３０１）、評価点数を算出し直す。
【００６９】
以上の処理により、対象の製品を評価することができ、所定の基準を満たす部品により構成されているかどうかを、容易に判定することができるるとともに、基準を満たしていないときには、代替の部品を指定して、再評価を行うことができる。
【００７０】
次に、代替電子部品選定処理について、フローチャートを図９に示し、説明する。
【００７１】
製品評価プログラム１０５において、代替電子部品選定処理が指定されると、代替電子部品選定プログラム１０７が起動され、代替電子部品選定処理を行う。代替電子部品選定処理では、指定された部品の中から代替電子部品に変更する変更候補部品として、評価点数が基準値以下の部品を、総合評価点数が低い順に一覧画面に表示する（ｓ４０１）。
【００７２】
図１０に、上記変更候補部品の評価点数表示画面例を示す。評価点数表示画面は、上記のように、評価点数が基準値以下の部品型番を、総合評価点数が低い順に一覧表示する。また、部品型番とともに、その総合評価点数を併記する。さらに、部品型番のそれぞれに「変更」ボタンを設け、変更する部品型番を選択できるようになっている。下部の「編集終了」ボタンは、全ての変更処理が終了したときに選択するものである。
【００７３】
この部品評価点数表示画面から、代替部品に変更を行いたい部品型番を選択して、その部品型番の右側にある「変更」ボタンをクリックする。また、全ての変更が終了したら、「編集終了」ボタンをクリックする。
【００７４】
代替電子部品選定処理では、部品評価点数表示（ｓ４０１）後、編集終了か否かを判断し（ｓ４０２）、編集終了であれば、本代替電子部品選定処理を終了する。
【００７５】
編集終了でない場合には、変更したい部品型番を選択し（ｓ４０３）、この部品型番で代替電子部品ＤＢ１１７を検索して、グループ番号を取得する（ｓ４０４）。
【００７６】
ここで、図１１に、代替電子部品ＤＢ１１７のデータ構造図を示す。同図に示すように、代替電子部品ＤＢ１１７は、部品型番と、グループ番号の項目を有し、部品同士で代替ができる部品をグループ化してあり、代替が可能な部品型番同士で同一のグループ番号が振られているものである。
【００７７】
代替電子部品選定処理のフローチャートに戻り、変更された部品型番のグループ番号が取得（ｓ４０４）されたら、取得したグループ番号と同じグループ番号を持つ部品型番を代替電子部品ＤＢ１１７から検索する。さらに、上記検索により検索された部品型番と、部品表ファイル１１９の製品種別と、により、電子部品評価ＤＢ１１５を検索し、総合評価点数を取得する（ｓ４０５）。
【００７８】
次に、上記検索した部品型番を一覧として代替部品一覧画面に表示する（ｓ４０６）。また、このとき、上記取得した各部品型番の総合評価点数も、部品型番とともに表示する。
【００７９】
図１２に、上記代替部品一覧の画面例を示す。この代替部品一覧画面例では、上記変更候補部品の評価点数表示画面例で、部品型番「ＣＮ１００１」を選択した場合の画面例を示している。
【００８０】
代替部品一覧画面では、上記のように、変更が指定された部品型番「ＣＮ１００１」とグループが一致する部品型番を一覧表示する。また、部品型番とともに、その総合評価点数を併記する。さらに、部品型番のそれぞれに選択ボタンを設け、代替部品とする部品型番を選択できるようになっている。下部の「ＯＫ」ボタンは、選択処理が終了したときに、「Ｃａｎｃｅｌ」ボタンは、処理を取り消し、部品評価点数表示画面に戻るときに、選択するものである。
【００８１】
この代替部品一覧画面から、代替部品に指定したい部品型番を選択して、下部にある「ＯＫ」ボタンをクリックする。
【００８２】
代替電子部品選定処理では、代替部品一覧画面が表示（ｓ４０６）されたら、利用者は、代替部品一覧画面から代替部品を選択する（ｓ４０７）。次に、部品表ファイル１１９に対して、上記変更指示された部品型番を、選択された代替電子部品の部品型番に置き換え、評価点数表示画面に戻り、編集終了判定（ｓ４０２）を行う。
【００８３】
ここで、図１３に、代替電子部品により変更された部品表ファイル１１９のデータ構造図を示す。同図に示すように、部品表ファイル１１９ｂは、前述の部品表ファイル１１９ａに対して、部品型番「ＣＮ１００１」が、「ＣＮ１００３」に変更されている。
【００８４】
上記製品評価処理では、このように電子部品の代替が行われ、代替後の部品構成で製品が再評価される。
【００８５】
また、図１４に、部品型番「ＣＮ１００１」が「ＣＮ１００３」に代替された部品表ファイル１１９ｂの部品から構成される製品の製品評価結果を示す。同図に示すように、総点数が「３７６．０」から「４０６．０」になり、製品評価点数が「７５．２」から「８１．２」になったので、基準値「８０．０」を上回ることができた。
【００８６】
以上の処理により、設計した部品構成では製品の基準値を満たさない場合でも、先の部品構成から変更する電子部品を選択して、この部品の代替を行う代替電子部品を選定して、製品の基準値を満たす部品構成に容易に変更することができる。
【００８７】
さらに、本発明に関して以下を付記する。
【００８８】
（付記１）
製品の種別ごとにその製品種別における各部品の評価を行った製品種別部品評価情報を準備する準備ステップと、
製品評価を行う製品の製品種別情報およびこの製品を構成する部品情報を入力する構成部品入力ステップと、
前記製品種別部品評価情報の前記製品種別における部品の評価で前記製品を構成する各部品の評価値を求め、前記製品の評価値を算出する製品評価値算出ステップと、
を備えたことを特徴とする製品評価プログラムを記録した媒体。
【００８９】
（付記２）
付記１に記載の製品評価プログラムを記録した媒体において、
前記構成部品入力ステップが、前記製品を構成する部品とともに、この部品を使用する数量を入力し、
前記製品評価値算出ステップが、前記製品を構成する部品における１部品あたりの評価値の平均値を、前記製品の評価値として算出することを特徴とする製品評価プログラムを記録した媒体。
【００９０】
（付記３）
付記１または付記２に記載の製品評価プログラムを記録した媒体において、
前記製品の部品構成を変更して代替部品に変更する変更部品を入力させる変更部品入力ステップと、
前記変更部品に替えて前記製品を構成する部品とする代替部品を入力させる代替部品入力ステップと、
をさらに備え、
前記製品評価値算出ステップが、前記入力された代替部品に基づいて前記製品の評価値を再算出することを特徴とする製品評価プログラムを記録した媒体。
【００９１】
（付記４）
付記３に記載の製品評価プログラムを記録した媒体において、
前記変更部品入力ステップが、前記入力された部品の前記製品種別における評価値が前記製品評価基準値に満たない部品を表示し、前記変更部品を入力させることを特徴とする製品評価プログラムを記録した媒体。
【００９２】
（付記５）
付記３または付記４に記載の製品評価プログラムを記録した媒体において、
前記変更部品入力ステップが、前記入力された部品の前記製品種別における評価値が低い順に前記部品を表示し、前記変更部品を入力させることを特徴とする製品評価プログラムを記録した媒体。
【００９３】
（付記６）
付記３から付記５のいずれか１項に記載の製品評価プログラムを記録した媒体において、
前記準備ステップが、前記部品同士で代替ができる部品をグループ化した部品グループ情報を準備し、
前記代替部品入力ステップが、前記部品グループ情報にしたがって前記入力された変更部品と同一のグループの部品を代替部品候補として表示し、前記代替部品を入力させることを特徴とする製品評価プログラムを記録した媒体。
【００９４】
（付記７）
付記１から付記６のいずれか１項に記載の製品評価プログラムを記録した媒体において、
前記準備ステップが、製品種別ごとに評価項目の重み付けを行った製品種別重み付け情報と、部品ごとに前記評価項目の評価を行った部品評価情報と、を準備し、
さらに、前記製品種別重み付け情報と、前記部品評価情報と、にしたがって前記製品種別部品評価情報を作成することを特徴とする製品評価プログラムを記録した媒体。
【００９５】
（付記８）
製品の種別ごとにその製品種別における各部品の評価を行った製品種別部品評価情報を準備する準備ステップと、
製品評価を行う製品の製品種別情報およびこの製品を構成する部品情報を入力する構成部品入力ステップと、
前記製品種別部品評価情報の前記製品種別における部品の評価で前記製品を構成する各部品の評価値を求め、前記製品の評価値を算出する製品評価値算出ステップと、
を備えたことを特徴とする製品評価プログラム。
【００９６】
（付記９）
製品の種別ごとにその製品種別における各部品の評価を行った製品種別部品評価情報を記憶する記憶手段と、
製品評価を行う製品の製品種別情報およびこの製品を構成する部品情報を入力する構成部品入力手段と、
前記製品種別部品評価情報の前記製品種別における部品の評価で前記製品を構成する各部品の評価値を求め、前記製品の評価値を算出する製品評価値算出手段と、
を備えたことを特徴とする製品評価システム。
【００９７】
（付記１０）
製品の種別ごとにその製品種別における各部品の評価を行った製品種別部品評価情報を準備する準備ステップと、
製品評価を行う製品の製品種別情報およびこの製品を構成する部品情報を入力する構成部品入力ステップと、
前記製品種別部品評価情報の前記製品種別における部品の評価で前記製品を構成する各部品の評価値を求め、前記製品の評価値を算出する製品評価値算出ステップと、
を備えたことを特徴とする製品評価方法。
【００９８】
【発明の効果】
本発明によれば、製品種別における各部品の評価を行った製品種別部品評価情報を準備し、製品種別における部品の評価で製品を構成する各部品の評価値を求め、製品の評価値を算出するので、製品種別の違いによる部品の評価の差に対応した製品の評価を行うことができ、製品種別ごとの特徴を考慮した評価を行うことができる。
【００９９】
また、本発明によれば、前記製品構成部品における１部品あたりの評価値の平均値を、前記製品の評価値として算出するので、構成部品の一つあたりの評価値を製品の評価値として比較することができ、構成部品の部品点数に関わらず、全ての製品において同等な比較を行うことができる。
【０１００】
さらに、本発明によれば、前記製品の部品構成を変更して代替部品に変更する変更部品を入力させ、前記変更部品に替えて前記製品を構成する部品とする代替部品を入力させ、前記代替部品に基づいて前記製品の評価値を再算出するので、前記製品の評価値が製品評価基準値に満たなかったときでも、構成部品を変更して容易に製品評価値を再算出することができ、製品評価基準値を満たすまで製品の構成部品を検討することができる。
【０１０１】
また、本発明によれば、前記入力された部品の前記製品種別における評価値が前記製品評価基準値に満たない部品を表示し、前記変更部品を入力させるので、製品評価基準値を下げている部品を選択して変更対象部品とすることができ、部品変更による製品評価値の上昇を容易に行うことができる。
【０１０２】
また、本発明によれば、前記入力された部品の前記製品種別における評価値が低い順に前記部品を表示し、前記変更部品を入力させるので、評価値の低い部品から変更対象部品として検討することができ、部品変更による製品評価値の上昇を迅速に容易に行うことができる。
【０１０３】
また、本発明によれば、前記部品同士で代替ができる部品をグループ化した部品グループ情報を準備し、前記入力された変更部品と同一のグループの部品を代替部品候補として表示し、前記代替部品を入力させるので、代替部品の候補の選択を容易に行うことができ、製品基準値を満たす部品構成の設計を容易に行うことができる。
【０１０４】
さらに、本発明によれば、製品種別ごとに評価項目の重み付けを行った製品種別重み付け情報と、部品ごとに前記評価項目の評価を行った部品評価情報と、にしたがって前記製品種別部品評価情報を作成するので、部品の追加や評価項目ごとの重要性の変化を容易に反映することができ、新製品の出現や方針の変更に対応することができる。
【図面の簡単な説明】
【図１】本発明に係る製品評価システムを示す構成図である。
【図２】電子部品評価プログラムによる電子部品評価ＤＢの作成処理を示すフローチャートである。
【図３】製品種別毎重み付けＤＢのデータ構造図である。
【図４】電子部品プライベート情報ＤＢのデータ構造図である。
【図５】電子部品評価ＤＢのデータ構造図である。
【図６】製品評価プログラムの動作処理を示すフローチャートである。
【図７】部品表ファイルのデータ構造図である。
【図８】部品表ファイルの部品構成による製品の製品評価結果を示す図である。
【図９】代替電子部品選定処理を示すフローチャートである。
【図１０】変更候補部品の評価点数表示を示す画面例である。
【図１１】代替電子部品ＤＢのデータ構造図である。
【図１２】代替部品の一覧表示を示す画面例である。
【図１３】代替部品により変更された部品表ファイルのデータ構造図である。
【図１４】代替された部品表ファイルの部品構成による製品の製品評価結果を示す図である。
【図１５】従来の部品購入評価プログラムの実行環境を示すブロック図である。
【符号の説明】
１  購入実績データ
２  部品情報データベース
５  部品購入評価プログラム
７  ディスプレイ
９  帳票出力装置
１０１  製品評価システム
１０３  電子部品評価プログラム
１０５  製品評価プログラム
１０７  代替電子部品選定プログラム
１０９  プログラム記憶部
１１１  電子部品プライベート情報ＤＢ
１１３  製品種別毎重み付けＤＢ
１１５  電子部品評価ＤＢ
１１７  代替電子部品ＤＢ
１１９  部品表ファイル
１２１  ネットワーク
１２３  利用者端末
【図１】
2004287951.tif 000003
【図２】
2004287951.tif 000004
【図３】
2004287951.tif 000005
【図４】
2004287951.tif 000006
【図５】
2004287951.tif 000007
【図６】
2004287951.tif 000008
【図７】
2004287951.tif 000009
【図８】
2004287951.tif 000010
【図９】
2004287951.tif 000011
【図１０】
2004287951.tif 000012
【図１１】
2004287951.tif 000013
【図１２】
2004287951.tif 000014
【図１３】
2004287951.tif 000015
【図１４】
2004287951.tif 000016
【図１５】
2004287951.tif 000017